(57)【要約】【課題】複数の巻き線を複数の中性点に適切に接続する。【解決手段】複数のＵ相巻き線４６−Ｕ１〜４６−Ｕ３は、複数のＵ相中性線４７−Ｕ１〜４７−Ｕ３を介して複数の中性点５１−１〜５１−３に電気的に接続されている。複数のＶ相巻き線４６−Ｖ１〜４６−Ｖ３は、複数のＶ相中性線４７−Ｖ１〜４７−Ｖ３を介して複数の中性点５１−１〜５１−３に電気的に接続されている。複数のＷ相巻き線４６−Ｗ１〜４６−Ｗ３は、複数のＷ相中性線４７−Ｗ１〜４７−Ｗ３を介して複数の中性点５１−１〜５１−３に電気的に接続されている。複数のＵ相中性線４７−Ｕ１〜４７−Ｕ３と複数のＶ相中性線４７−Ｖ１〜４７−Ｖ３と複数のＷ相中性線４７−Ｗ１〜４７−Ｗ３とは、複数のステータコアティース部３２−１〜３２−９より複数の中性点５１−１〜５１−３から遠い反リード側に引き回されず、リード側に配置されている。【選択図】図５
2019176638.tif 000002
【特許請求の範囲】
【請求項１】
ロータと、
前記ロータを回転させる磁界を生成するステータとを備えた３相モータであって、
前記ステータは、
複数のティースと、
前記複数のティースにそれぞれ巻回され、一端側に中性線を有し、他端側に電源線を有する複数の巻き線と、
前記中性線を電気的に接続して形成される複数の中性点とを有し、
前記中性線は、前記複数のティースのそれぞれに対応するように、前記電源線が配置されるリード側に配置される
３相モータ。
【請求項２】
前記電源線のうち少なくとも２つの電源線は１本の電線で繋がっている
請求項１に記載の３相モータ。
【請求項３】
前記中性線と前記電源線とは、前記ティースを挟むように配置される
請求項２に記載の３相モータ。
【請求項４】
前記ティースを挟んで前記中性線が配置される側を第１方向側としたとき、全ての中性線は第１方向側に配置される
請求項３に記載の３相モータ。
【請求項５】
請求項１〜請求項４のいずれか一項に記載の３相モータと、
前記ロータが回転する動力により冷媒を圧縮する圧縮機部
とを備える圧縮機。
【発明の詳細な説明】
【技術分野】
【０００１】
本開示の技術は、３相モータおよび圧縮機に関する。
【背景技術】
【０００２】
圧縮機部とモータ部とが密閉容器の内部に格納される密閉型の圧縮機が知られている。モータ部は、永久磁石が埋め込まれるロータと、回転磁界を生成することによりロータを回転させるステータとを備え、ロータに固定されるシャフトを介して圧縮機部に回転動力を伝達する。ステータは、複数のティースが形成されている。それぞれのティースには電線が巻きつけられて巻き線が形成される。巻き線は、星形結線され、すなわち、複数の巻き線の各々は、一端が電源に接続され、他端が中性点に接続されている（特許文献１〜４参照）。
【先行技術文献】
【特許文献】
【０００３】
【特許文献１】特開２００１−２７５２９２号公報
【特許文献２】特開２００２−１０５５０号公報
【特許文献３】特開２００７−１１０８４８号公報
【特許文献４】特開２０１５−１９２５５３号公報
【発明の概要】
【発明が解決しようとする課題】
【０００４】
モータ部は、例えば製造を容易にするために複数の中性点が形成されていることがある。本願の発明者は、このとき、モータ部は、複数の巻き線の巻き方が互いに異なっていることにより、複数の中性点の電流バランスが崩れ、騒音が発生することがあるという問題を見い出した。
【０００５】
開示の技術は、かかる点に鑑みてなされたものであって、複数の巻き線が複数の中性点に適切に接続される３相モータおよび圧縮機を提供することを目的とする。
【課題を解決するための手段】
【０００６】
開示の態様では、３相モータは、ロータと、前記ロータを回転させる磁界を生成するステータとを備えた３相モータであって、前記ステータは、複数のティースと、前記複数のティースにそれぞれ巻回され、一端側に中性線を有し、他端側に電源線を有する複数の巻き線と、前記中性線を電気的に接続して形成される複数の中性点とを有し、前記複数の中性線は、前記複数のティースのそれぞれに対応するように、前記電源線が配置されるリード側に配置される。
【発明の効果】
【０００７】
開示の３相モータおよび圧縮機は、複数の巻き線が複数の中性点に適切に接続されることができる。
【図面の簡単な説明】
【０００８】
【図１】図１は、実施例の３相モータが設けられた圧縮機を示す縦断面図である。
【図２】図２は、ステータコアを示す下面図である。
【図３】図３は、下インシュレータを示す斜視図である。
【図４】図４は、ステータを示す下面図である。
【図５】図５は、複数の巻き線を示す展開図である。
【図６】図６は、複数の巻き線の結線状態を示す結線図である。
【図７】図７は、第１スプライス端子と電線の接続前の状態を示す斜視図である。
【図８】図８は、従来例の３相モータの複数の巻き線を示す展開図である。
【図９】図９は、従来例の３相モータの複数の巻き線の結線状態を示す結線図である。
【図１０】図１０は、実施例の３相モータと比較例１〜比較例３の３相モータとにそれぞれ発生する騒音の音圧レベルを示す折れ線グラフである。
【図１１】図１１は、３相モータの回転数が４５ｒｐｓであるときの実施例の３相モータと従来例〜比較例３の３相モータとにそれぞれ発生する騒音のうちの周波数が２７０Ｈｚの音の音圧レベルを示す棒グラフである。
【図１２】図１２は、３相モータの回転数が５５ｒｐｓであるときの実施例の３相モータと従来例〜比較例３の３相モータとにそれぞれ発生する騒音のうちの周波数が３３０Ｈｚの音の音圧レベルを示す棒グラフである。
【図１３】図１３は、３相モータの回転数が６０ｒｐｓであるときの実施例の３相モータと従来例〜比較例３の３相モータとにそれぞれ発生する騒音のうちの周波数が３６０Ｈｚの音の音圧レベルを示す棒グラフである。
【発明を実施するための形態】
【０００９】
以下に、本願が開示する実施形態にかかる３相モータおよび圧縮機について、図面を参照して説明する。なお、以下の記載により本開示の技術が限定されるものではない。また、以下の記載においては、同一の構成要素に同一の符号を付与し、重複する説明を省略する。
【００１０】
図１は、実施例の３相モータ６が設けられた圧縮機１を示す縦断面図である。圧縮機１は、図１に示されているように、容器２とシャフト３と圧縮機部５と３相モータ６とを備えている。容器２は、密閉された内部空間７を形成している。内部空間７は、概ね円柱状に形成されている。容器２は、水平面に縦置きされたときに、内部空間７の円柱の中心軸が鉛直方向に平行になるように、形成されている。容器２には、内部空間７の下部に油溜め８が形成されている。油溜め８には、圧縮機部５を潤滑させる冷凍機油が貯留される。容器２には、冷媒を吸入する吸入管１１と圧縮された冷媒を吐出する吐出管１２とが接続されている。シャフト３は、棒状に形成され、一端が油溜め８に配置されるように、容器２の内部空間７に配置されている。シャフト３は、内部空間７が形成する円柱の中心軸に平行である回転軸を中心に回転可能に容器２に支持されている。シャフト３は、回転することにより、油溜め８に貯留される冷凍機油を圧縮機部５に供給する。
【００１１】
圧縮機部５は、内部空間７の下部に配置され、油溜め８の上方に配置されている。圧縮機１は、さらに、上マフラーカバー１４と下マフラーカバー１５とを備えている。上マフラーカバー１４は、内部空間７のうちの圧縮機部５の上部に配置されている。上マフラーカバー１４は、内部に上マフラー室１６を形成している。下マフラーカバー１５は、内部空間７のうちの圧縮機部５の下部に配置され、油溜め８の上部に配置されている。下マフラーカバー１５は、内部に下マフラー室１７を形成している。下マフラー室１７は、圧縮機部５に形成されている連通路（図示されていない）を介して上マフラー室１６に連通している。上マフラーカバー１４とシャフト３との間には、圧縮冷媒吐出孔１８が形成され、上マフラー室１６は、圧縮冷媒吐出孔１８を介して内部空間７に連通している。
【００１２】
圧縮機部５は、いわゆるロータリー型の圧縮機であり、シャフト３が回転することにより吸入管１１から供給される冷媒を圧縮し、その圧縮された冷媒を上マフラー室１６と下マフラー室１７とに供給する。その冷媒は、冷凍機油と相溶性を有している。３相モータ６は、内部空間７のうちの圧縮機部５の上部に配置されている。３相モータ６は、ロータ２１とステータ２２とを備えている。ロータ２１は、シャフト３に固定されている。ステータ２２は、概ね円筒形に形成され、ロータ２１を囲むように配置され、容器２に固定されている。ステータ２２は、ステータコア２３と上インシュレータ２４と下インシュレータ２５と複数の巻き線２６を備えている。上インシュレータ２４は、ステータコア２３の上部に配置されている。下インシュレータ２５は、ステータコア２３の下部に配置されている。上インシュレータ２４と下インシュレータ２５とは、ステータコア２３と巻き線２６とを絶縁する絶縁部の一例である。
【００１３】
図２は、ステータコア２３を示す下面図である。ステータコア２３は、たとえば、ケイ素鋼板に例示される軟磁性体で形成された複数の板が積層されて形成され、図２に示されているように、ヨーク部３１と複数のステータコアティース部３２−１〜３２−９とを備えている。ヨーク部３１は、概ね円筒形に形成されている。複数のステータコアティース部３２−１〜３２−９のうちの第１ステータコアティース部３２−１は、概ね柱体状に形成されている。第１ステータコアティース部３２−１は、一端がヨーク部３１の内周面に連続して形成され、すなわち、ヨーク部３１の内周面から突出するように、形成されている。複数のステータコアティース部３２−１〜３２−９のうちの第１ステータコアティース部３２−１と異なるステータコアティース部も、第１ステータコアティース部３２−１と同様に、概ね柱体状に形成され、ヨーク部３１の内周面から突出している。複数のステータコアティース部３２−１〜３２−９は、さらに、ヨーク部３１の内周面に４０度ごとの等間隔に配置されるように、形成されている。
【００１４】
図３は、下インシュレータ２５を示す斜視図である。下インシュレータ２５は、ポリブチレンテレフタレート樹脂（ＰＢＴ）に例示される絶縁体から形成され、図３に示されているように、外周壁部４１と複数のインシュレータ歯部４２−１〜４２−９と複数の鍔部４３−１〜４３−９とを備えている。外周壁部４１は、概ね円筒形に形成されている。外周壁部４１は、複数のスリット４４が形成されている。複数のインシュレータ歯部４２−１〜４２−９のうちの第１インシュレータ歯部４２−１は、断面が概ね半円である直柱体状に形成されている。第１インシュレータ歯部４２−１は、一端が外周壁部４１の内周面に連続して形成され、すなわち、外周壁部４１の内周面から突出するように、形成されている。複数のインシュレータ歯部４２−１〜４２−９のうちの第１インシュレータ歯部４２−１と異なるインシュレータ歯部も、直柱体状に形成され、第１インシュレータ歯部４２−１と同様に、外周壁部４１の内周面から突出するように、形成されている。複数のインシュレータ歯部４２−１〜４２−９は、外周壁部４１の内周面に４０度ごとの等間隔に配置されるように、形成されている。
【００１５】
複数の鍔部４３−１〜４３−９は、複数のインシュレータ歯部４２−１〜４２−９に対応し、それぞれ、概ね半円形の板状に形成されている。複数の鍔部４３−１〜４３−９のうちの第１インシュレータ歯部４２−１に対応する第１鍔部４３−１は、第１インシュレータ歯部４２−１の他端に連続して形成されている。複数の鍔部４３−１〜４３−９のうちの第１鍔部４３−１と異なる鍔部も、第１鍔部４３−１と同様に、複数のインシュレータ歯部４２−１〜４２−９の他端に連続して形成されている。
【００１６】
上インシュレータ２４も、下インシュレータ２５と同様に形成され、すなわち、絶縁体から形成され、外周壁部と複数のインシュレータ歯部と複数の鍔部とを備えている。
【００１７】
図４は、ステータ２２を示す下面図である。ステータコア２３の複数のステータコアティース部３２−１〜３２−９は、図４に示されているように、複数の巻き線２６がそれぞれ巻回されている。複数の巻き線２６は、複数のＵ相巻き線４６−Ｕ１〜４６−Ｕ３と複数のＶ相巻き線４６−Ｖ１〜４６−Ｖ３と複数のＷ相巻き線４６−Ｗ１〜４６−Ｗ３とを備えている。
【００１８】
Ｕ相巻き線は複数の巻き線を備えている。具体的には、第１Ｕ相巻き線４６−Ｕ１と第２Ｕ相巻き線４６−Ｕ２と第３Ｕ相巻き線４６−Ｕ３とを備えている。第１Ｕ相巻き線４６−Ｕ１は、第４ステータコアティース部３２−４に巻回されている。第２Ｕ相巻き線４６−Ｕ２は、第７ステータコアティース部３２−７に巻回されている。第３Ｕ相巻き線４６−Ｕ３は、第１ステータコアティース部３２−１に巻回されている。
【００１９】
Ｖ相巻き線は複数の巻き線を備えている。具体的には、第１Ｖ相巻き線４６−Ｖ１と第２Ｖ相巻き線４６−Ｖ２と第３Ｖ相巻き線４６−Ｖ３とを備えている。第１Ｖ相巻き線４６−Ｖ１は、第８ステータコアティース部３２−８に巻回されている。第２Ｖ相巻き線４６−Ｖ２は、第２ステータコアティース部３２−２に巻回されている。第３Ｖ相巻き線４６−Ｖ３は、第５ステータコアティース部３２−５に巻回されている。
【００２０】
Ｗ相巻き線は複数の巻き線を備えている。具体的には、第１Ｗ相巻き線４６−Ｗ１と第２Ｗ相巻き線４６−Ｗ２と第３Ｗ相巻き線４６−Ｗ３とを備えている。第１Ｗ相巻き線４６−Ｗ１は、第６ステータコアティース部３２−６に巻回されている。第２Ｗ相巻き線４６−Ｗ２は、第９ステータコアティース部３２−９に巻回されている。第３Ｗ相巻き線４６−Ｗ３は、第３ステータコアティース部３２−３に巻回されている。
【００２１】
第１ステータコアティース部３２−１は、下インシュレータ２５の第１インシュレータ歯部４２−１と上インシュレータ２４の第１インシュレータ歯部とこれらインシュレータの間に配置される絶縁フィルム（不図示）とともに第３Ｕ相巻き線４６−Ｕ３が巻回されている。このため、第３Ｕ相巻き線４６−Ｕ３は、上インシュレータ２４と下インシュレータ２５とにより、第１ステータコアティース部３２−１から適切に絶縁され、ステータコア２３から適切に絶縁されている。さらに、第３Ｕ相巻き線４６−Ｕ３は、下インシュレータ２５の第１鍔部４３−１と外周壁部４１との間に挟まれるように巻回され、上インシュレータ２４の第１鍔部と外周壁部との間に挟まれるように巻回されている。このため、第３Ｕ相巻き線４６−Ｕ３は、上インシュレータ２４と下インシュレータ２５とにより、第１ステータコアティース部３２−１からロータ２１の側に外れる、いわゆる巻きこぼれが防止されている。
【００２２】
複数の巻き線２６のうちの第３Ｕ相巻き線４６−Ｕ３と異なる他の巻き線に関しても、上インシュレータ２４と下インシュレータ２５とにより、ステータコア２３から適切に絶縁され、巻きこぼれが防止されている。
【００２３】
図５は、複数の巻き線２６を示す展開図である。第１Ｕ相巻き線４６−Ｕ１は、図５に示されているように、第４ステータコアティース部３２−４に反時計回りに巻回されている。第２Ｕ相巻き線４６−Ｕ２は、第７ステータコアティース部３２−７に時計回りに巻回されている。第３Ｕ相巻き線４６−Ｕ３は、第１ステータコアティース部３２−１に反時計回りに巻回されている。第１Ｖ相巻き線４６−Ｖ１は、第８ステータコアティース部３２−８に反時計回りに巻回されている。第２Ｖ相巻き線４６−Ｖ２は、第２ステータコアティース部３２−２に時計回りに巻回されている。第３Ｖ相巻き線４６−Ｖ３は、第５ステータコアティース部３２−５に反時計回りに巻回されている。第１Ｗ相巻き線４６−Ｗ１は、第６ステータコアティース部３２−６に反時計回りに巻回されている。第２Ｗ相巻き線４６−Ｗ２は、第９ステータコアティース部３２−９に時計回りに巻回されている。第３Ｗ相巻き線４６−Ｗ３は、第３ステータコアティース部３２−３に反時計回りに巻回されている。
【００２４】
ステータ２２は、複数のＵ相中性線４７−Ｕ１〜４７−Ｕ３と複数のＶ相中性線４７−Ｖ１〜４７−Ｖ３と複数のＷ相中性線４７−Ｗ１〜４７−Ｗ３とをさらに備えている。複数のＵ相中性線４７−Ｕ１〜４７−Ｕ３と複数のＶ相中性線４７−Ｖ１〜４７−Ｖ３と複数のＷ相中性線４７−Ｗ１〜４７−Ｗ３とは、複数のステータコアティース部３２−１〜３２−９より下インシュレータ２５から遠い上インシュレータ２４側に配置されている。なお、上インシュレータ２４側には電源線であるリード側も配置されるため、以下、本明細書では上インシュレータ２４側をリード側とも呼ぶ。
【００２５】
第１Ｕ相中性線４７−Ｕ１は、一端が第１Ｕ相巻き線４６−Ｕ１に電気的に接続されている。第１Ｕ相中性線４７−Ｕ１は、その一端が第４ステータコアティース部３２−４の第１方向側（図５で左側）に配置され、他端が第４ステータコアティース部３２−４より下インシュレータ２５から遠いリード側に配置されている。第２Ｕ相中性線４７−Ｕ２は、一端が第２Ｕ相巻き線４６−Ｕ２に電気的に接続されている。第２Ｕ相中性線４７−Ｕ２は、その一端が第７ステータコアティース部３２−７の第１方向側に配置され、他端が第７ステータコアティース部３２−７よりリード側に配置されている。第３Ｕ相中性線４７−Ｕ３は、一端が第３Ｕ相巻き線４６−Ｕ３に電気的に接続されている。第３Ｕ相中性線４７−Ｕ３は、その一端が第１ステータコアティース部３２−１の第１方向側に配置され、他端が第１ステータコアティース部３２−１よりリード側に配置されている。
【００２６】
複数のＶ相中性線４７−Ｖ１〜４７−Ｖ３は、第１Ｖ相中性線４７−Ｖ１と第２Ｖ相中性線４７−Ｖ２と第３Ｖ相中性線４７−Ｖ３とを備えている。第１Ｖ相中性線４７−Ｖ１は、一端が第１Ｖ相巻き線４６−Ｖ１に電気的に接続されている。第１Ｖ相中性線４７−Ｖ１は、その一端が第５ステータコアティース部３２−５の第１方向側に配置され、他端が第５ステータコアティース部３２−５よりリード側に配置されている。第２Ｖ相中性線４７−Ｖ２は、一端が第２Ｖ相巻き線４６−Ｖ２に電気的に接続されている。第２Ｖ相中性線４７−Ｖ２は、その一端が第２ステータコアティース部３２−２の第１方向側に配置され、他端が第２ステータコアティース部３２−２よりリード側に配置されている。第３Ｖ相中性線４７−Ｖ３は、一端が第３Ｖ相巻き線４６−Ｖ３に電気的に接続されている。第３Ｖ相中性線４７−Ｖ３は、その一端が第５ステータコアティース部３２−５の第１方向側に配置され、他端が第５ステータコアティース部３２−５よりリード側に配置されている。
【００２７】
複数のＷ相中性線４７−Ｗ１〜４７−Ｗ３は、第１Ｗ相中性線４７−Ｗ１と第２Ｗ相中性線４７−Ｗ２と第３Ｗ相中性線４７−Ｗ３とを備えている。第１Ｗ相中性線４７−Ｗ１は、一端が第１Ｗ相巻き線４６−Ｗ１に電気的に接続されている。第１Ｗ相中性線４７−Ｗ１は、その一端が第６ステータコアティース部３２−６の第１方向側に配置され、他端が第６ステータコアティース部３２−６よりリード側に配置されている。第２Ｗ相中性線４７−Ｗ２は、一端が第２Ｗ相巻き線４６−Ｗ２に電気的に接続されている。第２Ｗ相中性線４７−Ｗ２は、その一端が第９ステータコアティース部３２−９の第１方向側に配置され、他端が第９ステータコアティース部３２−９よりリード側に配置されている。第３Ｗ相中性線４７−Ｗ３は、一端が第３Ｗ相巻き線４６−Ｗ３に電気的に接続されている。第３Ｗ相中性線４７−Ｗ３は、その一端が第３ステータコアティース部３２−３の第１方向側に配置され、他端が第３ステータコアティース部３２−３よりリード側に配置されている。
【００２８】
ステータ２２は、複数のＵ相電源線４８−Ｕ１〜４８−Ｕ３と複数のＶ相電源線４８−Ｖ１〜４８−Ｖ３と複数のＷ相電源線４８−Ｗ１〜４８−Ｗ３とをさらに備えている。
【００２９】
複数のＵ相電源線４８−Ｕ１〜４８−Ｕ３は、一端が第１ステータコアティース部３２−１のリード側に配置され、その一端が第１ステータコアティース部３２−１の第２方向側（図５で右側）に配置されている。第１Ｕ相電源線４８−Ｕ１の他端は、第１Ｕ相巻き線４６−Ｕ１に電気的に接続されている。第２Ｕ相電源線４８−Ｕ２の他端は、第２Ｕ相巻き線４６−Ｕ２に電気的に接続されている。第３Ｕ相電源線４８−Ｕ３の他端は、第３Ｕ相巻き線４６−Ｕ３に電気的に接続されている。
【００３０】
第１Ｕ相電源線４８−Ｕ１は、さらに、一部が下インシュレータ２５の外周壁部４１の複数のスリット４４を通り、第１Ｕ相渡り線部分４９−Ｕ１を含んでいる。第１Ｕ相電源線４８−Ｕ１の一部である第１Ｕ相渡り線部分４９−Ｕ１は、下インシュレータ２５の外周壁部４１の外周面に沿うように配置されている。第２Ｕ相電源線４８−Ｕ２は、さらに、一部が下インシュレータ２５の外周壁部４１の複数のスリット４４を通り、第２Ｕ相渡り線部分４９−Ｕ２を含んでいる。第２Ｕ相電源線４８−Ｕ２の一部である第２Ｕ相渡り線部分４９−Ｕ２は、下インシュレータ２５の外周壁部４１の外周面に沿うように配置されている。
【００３１】
複数のＶ相電源線４８−Ｖ１〜４８−Ｖ３は、一端が第５ステータコアティース部３２−５のリード側に配置され、その一端が第５ステータコアティース部３２−５の第２方向側に配置されている。第１Ｖ相電源線４８−Ｖ１の他端は、第１Ｖ相巻き線４６−Ｖ１に電気的に接続されている。第２Ｖ相電源線４８−Ｖ２の他端は、第２Ｖ相巻き線４６−Ｖ２に電気的に接続されている。第３Ｖ相電源線４８−Ｖ３の他端は、第３Ｖ相巻き線４６−Ｖ３に電気的に接続されている。
【００３２】
第１Ｖ相電源線４８−Ｖ１は、さらに、一部が下インシュレータ２５の外周壁部４１の複数のスリット４４を通り、第１Ｖ相渡り線部分４９−Ｖ１を含んでいる。第１Ｖ相電源線４８−Ｖ１の一部である第１Ｖ相渡り線部分４９−Ｖ１は、下インシュレータ２５の外周壁部４１の外周面に沿うように配置されている。第２Ｖ相電源線４８−Ｖ２は、さらに、一部が下インシュレータ２５の外周壁部４１の複数のスリット４４を通り、第２Ｖ相渡り線部分４９−Ｖ２を含んでいる。第２Ｖ相電源線４８−Ｖ２の一部である第２Ｖ相渡り線部分４９−Ｖ２は、下インシュレータ２５の外周壁部４１の外周面に沿うように配置されている。
【００３３】
複数のＷ相電源線４８−Ｗ１〜４８−Ｗ３は、一端が第３ステータコアティース部３２−３のリード側に配置され、その一端が第３ステータコアティース部３２−３の第２方向側に配置されている。第１Ｗ相電源線４８−Ｗ１の他端は、第１Ｗ相巻き線４６−Ｗ１に電気的に接続されている。第２Ｗ相電源線４８−Ｗ２の他端は、第２Ｗ相巻き線４６−Ｗ２に電気的に接続されている。第３Ｗ相電源線４８−Ｗ３の他端は、第３Ｗ相巻き線４６−Ｗ３に電気的に接続されている。
【００３４】
第１Ｗ相電源線４８−Ｗ１は、さらに、一部が下インシュレータ２５の外周壁部４１の複数のスリット４４を通り、第１Ｗ相渡り線部分４９−Ｗ１を含んでいる。第１Ｗ相電源線４８−Ｗ１の一部である第１Ｗ相渡り線部分４９−Ｗ１は、下インシュレータ２５の外周壁部４１の外周面に沿うように配置されている。第２Ｗ相電源線４８−Ｗ２は、さらに、一部が下インシュレータ２５の外周壁部４１の複数のスリット４４を通り、第２Ｗ相渡り線部分４９−Ｗ２を含んでいる。第２Ｗ相電源線４８−Ｗ２の一部である第２Ｗ相渡り線部分４９−Ｗ２は、下インシュレータ２５の外周壁部４１の外周面に沿うように配置されている。
【００３５】
図６は、複数の巻き線２６の結線状態を示す結線図である。ステータ２２は、図６に示されているように、複数の中性点をさらに備えている。複数の中性点は、複数のステータコアティース部３２−１〜３２−９のリード側に配置され、第１中性点５１−１と第２中性点５１−２と第３中性点５１−３とを備えている。第１中性点５１−１と第２中性点５１−２と第３中性点５１−３とは、互いに電気的に絶縁されている。
【００３６】
第１Ｕ相巻き線４６−Ｕ１は、一端が第１Ｕ相中性線４７−Ｕ１を介して第１中性点５１−１に電気的に接続され、他端が第１Ｕ相電源線４８−Ｕ１を介してＵ相電源に電気的に接続されている。第２Ｕ相巻き線４６−Ｕ２は、一端が第２Ｕ相中性線４７−Ｕ２を介して第２中性点５１−２に電気的に接続され、他端が第２Ｕ相電源線４８−Ｕ２を介してＵ相電源に電気的に接続されている。第３Ｕ相巻き線４６−Ｕ３は、一端が第３Ｕ相中性線４７−Ｕ３を介して第３中性点５１−３に電気的に接続され、他端が第３Ｕ相電源線４８−Ｕ３を介してＵ相電源に電気的に接続されている。
【００３７】
第１Ｖ相巻き線４６−Ｖ１は、一端が第１Ｖ相中性線４７−Ｖ１を介して第３中性点５１−３に電気的に接続され、他端が第１Ｖ相電源線４８−Ｖ１を介してＶ相電源に電気的に接続されている。第２Ｖ相巻き線４６−Ｖ２は、一端が第２Ｖ相中性線４７−Ｖ２を介して第１中性点５１−１に電気的に接続され、他端が第２Ｖ相電源線４８−Ｖ２を介してＶ相電源に電気的に接続されている。第３Ｖ相巻き線４６−Ｖ３は、一端が第３Ｖ相中性線４７−Ｖ３を介して第２中性点５１−２に電気的に接続され、他端が第３Ｖ相電源線４８−Ｖ３を介してＶ相電源に電気的に接続されている。
【００３８】
第１Ｗ相巻き線４６−Ｗ１は、一端が第１Ｗ相中性線４７−Ｗ１を介して第２中性点５１−２に電気的に接続され、他端が第１Ｗ相電源線４８−Ｗ１を介してＷ相電源に電気的に接続されている。第２Ｗ相巻き線４６−Ｗ２は、一端が第２Ｗ相中性線４７−Ｗ２を介して第３中性点５１−３に電気的に接続され、他端が第２Ｗ相電源線４８−Ｗ２を介してＷ相電源に電気的に接続されている。第３Ｗ相巻き線４６−Ｗ３は、一端が第３Ｗ相中性線４７−Ｗ３を介して第１中性点５１−１に電気的に接続され、他端が第３Ｗ相電源線４８−Ｗ３を介してＷ相電源に電気的に接続されている。
【００３９】
［ステータ２２の製造方法］
ステータ２２は、巻線機を用いて、上インシュレータ２４と下インシュレータ２５とが適切に取り付けられたステータコア２３にＵ相電線とＶ相電線とＷ相電線とが適切に配置されることにより、製作される。電線は例えばエナメル線（銅線をエナメルの被膜で被覆した電線）である。巻線機は、例えばＵ相電線用ノズルとＶ相電線用ノズルとＷ相電線用ノズルとを備えている。Ｕ相電線用ノズルとＶ相電線用ノズルとＷ相電線用ノズルとは、互いに固定されている。Ｕ相電線用ノズルは、適切に移動することにより、Ｕ相電線をステータコア２３に対して所定の位置に配置させることができる。Ｖ相電線用ノズルは、適切に移動することにより、Ｖ相電線をステータコア２３に対して所定の位置に配置させることができる。Ｗ相電線用ノズルは、適切に移動することにより、Ｗ相電線をステータコア２３に対して所定の位置に配置させることができる。なお、巻線機は本実施例に限られず、１本のノズルを備えているものであってもよい。
【００４０】
巻線機は、まず、上インシュレータ２４と下インシュレータ２５と図示しない絶縁フィルムが適切に取り付けられたステータコア２３がセットされる。巻線機は、Ｕ相電線用ノズルを適切に移動させて、Ｕ相電線の一端を第１ステータコアティース部３２−１のリード側に配置させ、Ｕ相電線を第１ステータコアティース部３２−１の第２方向側に沿わせ、複数のスリット４４の１つに通す。次いで、巻線機は、Ｕ相電線用ノズルを適切に移動させてＵ相電線を下インシュレータ２５の外周壁部４１の外周面に沿わせることにより、Ｕ相電線から第１Ｕ相渡り線部分４９−Ｕ１を形成する。巻線機は、さらに、Ｕ相電線用ノズルを適切に移動させてＵ相電線を複数のスリット４４の１つから第４ステータコアティース部３２−４までの間に配置することにより、Ｕ相電線から第１Ｕ相電源線４８−Ｕ１を形成する。このとき、巻線機は、Ｖ相電線用ノズルとＷ相電線用ノズルとをＵ相電線用ノズルと同期して移動させることにより、Ｖ相電線から第１Ｖ相電源線４８−Ｖ１を形成し、Ｗ相電線から第１Ｗ相電源線４８−Ｗ１を形成する。
【００４１】
次いで、巻線機は、Ｕ相電線用ノズルを適切に移動させてＵ相電線を第４ステータコアティース部３２−４に反時計回りに巻回することにより、Ｕ相電線から第１Ｕ相巻き線４６−Ｕ１を形成する。このとき、巻線機は、Ｖ相電線用ノズルをＵ相電線用ノズルと同期して移動させることにより、Ｖ相電線を第８ステータコアティース部３２−８に反時計回りに巻回し、Ｖ相電線から第１Ｖ相巻き線４６−Ｖ１を形成する。巻線機は、Ｗ相電線用ノズルをＵ相電線用ノズルと同期して移動させることにより、Ｗ相電線を第６ステータコアティース部３２−６に反時計回りに巻回し、Ｗ相電線から第１Ｗ相巻き線４６−Ｗ１を形成する。
【００４２】
次いで、巻線機は、Ｕ相電線用ノズルを適切に移動させてＵ相電線を第４ステータコアティース部３２−４の第１方向側から第４ステータコアティース部３２−４のリード側までの間に配置することにより、Ｕ相電線から第１Ｕ相中性線４７−Ｕ１を形成する。このとき、巻線機は、Ｖ相電線用ノズルとＷ相電線用ノズルとをＵ相電線用ノズルと同期して移動させることにより、Ｖ相電線から第１Ｖ相中性線４７−Ｖ１を形成し、Ｗ相電線から第１Ｗ相中性線４７−Ｗ１を形成する。
【００４３】
次いで、巻線機は、Ｕ相電線用ノズルを適切に移動させてＵ相電線を第７ステータコアティース部３２−７のリード側から第７ステータコアティース部３２−７の第１方向側までの間に配置することにより、Ｕ相電線から第２Ｕ相中性線４７−Ｕ２を形成する。このとき、巻線機は、Ｖ相電線用ノズルとＷ相電線用ノズルとをＵ相電線用ノズルと同期して移動させることにより、Ｖ相電線から第２Ｖ相中性線４７−Ｖ２を形成し、Ｗ相電線から第２Ｗ相中性線４７−Ｗ２を形成する。
【００４４】
次いで、巻線機は、Ｕ相電線用ノズルを適切に移動させてＵ相電線を第７ステータコアティース部３２−７に時計回りに巻回することにより、Ｕ相電線から第２Ｕ相巻き線４６−Ｕ２を形成する。このとき、巻線機は、Ｖ相電線用ノズルをＵ相電線用ノズルと同期して移動させることにより、Ｖ相電線を第２ステータコアティース部３２−２に時計回りに巻回し、Ｖ相電線から第２Ｖ相巻き線４６−Ｖ２を形成する。巻線機は、Ｗ相電線用ノズルをＵ相電線用ノズルと同期して移動させることにより、Ｗ相電線を第９ステータコアティース部３２−９に時計回りに巻回し、Ｗ相電線から第２Ｗ相巻き線４６−Ｗ２を形成する。
【００４５】
次いで、巻線機は、Ｕ相電線用ノズルを適切に移動させてＵ相電線を複数のスリット４４の１つに通して外周壁部４１の外周面に沿わせることにより、Ｕ相電線から第２Ｕ相渡り線部分４９−Ｕ２を形成する。巻線機は、さらに、Ｕ相電線用ノズルを適切に移動させてＵ相電線を複数のスリット４４の１つを通して第１ステータコアティース部３２−１のリード側に配置することにより、Ｕ相電線から第２Ｕ相電源線４８−Ｕ２を形成する。このとき、巻線機は、Ｖ相電線用ノズルとＷ相電線用ノズルとをＵ相電線用ノズルと同期して移動させることにより、Ｖ相電線から第２Ｖ相電源線４８−Ｖ２を形成し、Ｗ相電線から第２Ｗ相電源線４８−Ｗ２を形成する。
【００４６】
次いで、巻線機は、Ｕ相電線用ノズルを適切に移動させてＵ相電線を第１ステータコアティース部３２−１のリード側から第１ステータコアティース部３２−１の第２方向側までの間に配置することにより、Ｕ相電線から第３Ｕ相電源線４８−Ｕ３を形成する。このとき、巻線機は、Ｖ相電線用ノズルとＷ相電線用ノズルとをＵ相電線用ノズルと同期して移動させることにより、Ｖ相電線から第３Ｖ相電源線４８−Ｖ３を形成し、Ｗ相電線から第３Ｗ相電源線４８−Ｗ３を形成する。
【００４７】
次いで、巻線機は、Ｕ相電線用ノズルを適切に移動させてＵ相電線を第１ステータコアティース部３２−１に反時計回りに巻回することにより、Ｕ相電線から第３Ｕ相巻き線４６−Ｕ３を形成する。このとき、巻線機は、Ｖ相電線用ノズルをＵ相電線用ノズルと同期して移動させることにより、Ｖ相電線を第５ステータコアティース部３２−５に反時計回りに巻回し、Ｖ相電線から第３Ｖ相巻き線４６−Ｖ３を形成する。巻線機は、Ｗ相電線用ノズルをＵ相電線用ノズルと同期して移動させることにより、Ｗ相電線を第３ステータコアティース部３２−３に反時計回りに巻回し、Ｗ相電線から第３Ｗ相巻き線４６−Ｗ３を形成する。
【００４８】
次いで、巻線機は、Ｕ相電線用ノズルを適切に移動させてＵ相電線を第１ステータコアティース部３２−１の第１方向側から第１ステータコアティース部３２−１のリード側までの間に配置することにより、Ｕ相電線から第３Ｕ相中性線４７−Ｕ３を形成する。このとき、巻線機は、Ｖ相電線用ノズルとＷ相電線用ノズルとをＵ相電線用ノズルと同期して移動させることにより、Ｖ相電線から第３Ｖ相中性線４７−Ｖ３を形成し、Ｗ相電線から第３Ｗ相中性線４７−Ｗ３を形成する。
【００４９】
このように巻回されることによれば、第３Ｕ相巻き線４６−Ｕ３は、図５と図６とに示すように、巻き始めと巻き終わりが共にリード側に配置される。一方、第１Ｕ相巻き線４６−Ｕ１と第２Ｕ相巻き線４６−Ｕ２は反リード側から巻き始められてリード側で巻き終わるようになる。従って、第３Ｕ相巻き線４６−Ｕ３が巻回される巻き数は、第１Ｕ相巻き線４６−Ｕ１が巻回される巻き数と異なり、第２Ｕ相巻き線４６−Ｕ２が巻回される巻き数と異なっている。また、第１Ｕ相巻き線４６−Ｕ１と第２Ｕ相巻き線４６−Ｕ２は、Ｕ相電源と接続されるＵ相電源線が引き回される長さが異なる。これらを言い換えれば、第１Ｕ相巻き線４６−Ｕ１〜第３Ｕ相巻き線４６−Ｕ３は、巻き線の巻き数や電源線の長さを含めた巻き方が異なる。このため、中性点５１−１からＵ相電源線までの電線の長さは、第１Ｕ相巻き線４６−Ｕ１、第２Ｕ相巻き線４６−Ｕ２、第３Ｕ相巻き線４６−Ｕ３のそれぞれにおいて異なり、インピーダンスも異なっている。
【００５０】
第１Ｕ相中性線４７−Ｕ１と第２Ｕ相中性線４７−Ｕ２とが切り離され、第１Ｖ相中性線４７−Ｖ１と第２Ｖ相中性線４７−Ｖ２とが切り離され、第１Ｗ相中性線４７−Ｗ１と第２Ｗ相中性線４７−Ｗ２とが切り離される。第１Ｕ相中性線４７−Ｕ１の端と第２Ｖ相中性線４７−Ｖ２の端と第３Ｗ相中性線４７−Ｗ３の端とが、電線の被膜を剥離せずに複数の巻き線を電気的に接続できる接続具（以下、接続具という）により電気的に接続される。接続具として例えば図７に示すような第１スプライス端子５２を用いることができる。図７は、第１スプライス端子５２と電線の接続前の状態を示す斜視図である。本実施例では、第１Ｕ相中性線４７−Ｕ１の端と第２Ｖ相中性線４７−Ｖ２の端と第３Ｗ相中性線４７−Ｗ３の端とが第１スプライス端子５２により互いに固着されて互いに電気的に接続されることにより、第１中性点５１−１が形成される。図７に示すように、３本の電線は互いに接する状態で安定して束ねられる。接続具としての第１スプライス端子５２は、束ねられた電線を包むようにして３本の電線を互いに固着して互いに電気的に接続することができる。なお、接続具で束ねる電線の本数は３本には限られない。すなわち、電線を互いに固着して互いに電気的に接続することができる限り、束ねる本数は限定されない。第２Ｕ相中性線４７−Ｕ２の端と第３Ｖ相中性線４７−Ｖ３の端と第１Ｗ相中性線４７−Ｗ１の端とが第２スプライス端子により互いに固着されて互いに電気的に接続されることにより、第２中性点５１−２が形成される。第３Ｕ相中性線４７−Ｕ３の端と第１Ｖ相中性線４７−Ｖ１の端と第２Ｗ相中性線４７−Ｗ２の端とが第３スプライス端子により互いに固着されて互いに電気的に接続されることにより、第３中性点５１−３が形成される。このような動作によれば、第１中性点５１−１と第２中性点５１−２と第３中性点５１−３とは、容易に形成されることができる。
【００５１】
［圧縮機１の動作］
圧縮機１は、図示しない冷凍サイクル装置に設けられ、冷媒を圧縮して、冷凍サイクル装置に冷媒を循環させることに利用される。３相モータ６は、複数のＵ相電源線４８−Ｕ１〜４８−Ｕ３と複数のＶ相電源線４８−Ｖ１〜４８−Ｖ３と複数のＷ相電源線４８−Ｗ１〜４８−Ｗ３とに三相電圧がそれぞれ印加されることにより、回転磁界を発生させる。ロータ２１は、ステータ２２により生成された回転磁界により回転する。３相モータ６は、ロータ２１が回転することにより、シャフト３を回転させる。
【００５２】
圧縮機部５は、シャフト３が回転すると、吸入管１１を介して低圧冷媒ガスを吸入し、その吸入された低圧冷媒ガスを圧縮することにより高圧冷媒ガスを生成し、その高圧冷媒ガスを上マフラー室１６と下マフラー室１７とに供給する。下マフラーカバー１５は、下マフラー室１７に供給された高圧冷媒ガスの圧力の脈動を低減し、圧力脈動が低減された高圧冷媒ガスを上マフラー室１６に供給する。上マフラーカバー１４は、上マフラー室１６に供給された高圧冷媒ガスの圧力の脈動を低減し、圧力脈動が低減された高圧冷媒ガスを内部空間７のうちの圧縮機部５と３相モータ６との間の空間に圧縮冷媒吐出孔１８を介して供給する。
【００５３】
内部空間７のうちの圧縮機部５と３相モータ６との間の空間に供給された高圧冷媒ガスは、３相モータ６に形成されている隙間を通過することにより、内部空間７のうちの３相モータ６より上の空間に供給される。内部空間７のうちの３相モータ６より上の空間に供給された冷媒は、吐出管１２を介して冷凍サイクル装置のうちの圧縮機１の後段の装置に吐出される。
【００５４】
［従来例の３相モータ］
図８は、従来例の３相モータの複数の巻き線を示す展開図である。従来例の３相モータは、既述の実施例の３相モータ６の第１Ｕ相中性線４７−Ｕ１と第１Ｖ相中性線４７−Ｖ１と第１Ｗ相中性線４７−Ｗ１とが、他の第１Ｕ相中性線１４７−Ｕ１と第１Ｖ相中性線１４７−Ｖ１と第１Ｗ相中性線１４７−Ｗ１とにそれぞれ置換されている。
【００５５】
第１Ｕ相中性線１４７−Ｕ１は、下インシュレータ２５の外周壁部４１の複数のスリット４４を介して一部が下インシュレータ２５の外周壁部４１の外側に配置されている。すなわち、第１Ｕ相中性線１４７−Ｕ１は、第１Ｕ相渡り線部分１０１−Ｕ１を含んでいる。第１Ｕ相渡り線部分１０１−Ｕ１は、下インシュレータ２５の外周壁部４１の外周面に沿うように配置されている。第１Ｕ相中性線１４７−Ｕ１は、さらに、第２Ｕ相中性線４７−Ｕ２と切り離されておらず、第２Ｕ相中性線４７−Ｕ２に繋がったままである。
【００５６】
第１Ｖ相中性線１４７−Ｖ１は、下インシュレータ２５の外周壁部４１の複数のスリット４４を介して一部が下インシュレータ２５の外周壁部４１の外側に配置されている。すなわち、第１Ｖ相中性線１４７−Ｖ１は、第１Ｖ相渡り線部分１０１−Ｖ１を含んでいる。第１Ｖ相渡り線部分１０１−Ｖ１は、下インシュレータ２５の外周壁部４１の外周面に沿うように配置されている。第１Ｖ相中性線１４７−Ｖ１は、さらに、第２Ｖ相中性線４７−Ｖ２と切り離されておらず、第２Ｖ相中性線４７−Ｖ２に繋がったままである。
【００５７】
第１Ｗ相中性線１４７−Ｗ１は、下インシュレータ２５の外周壁部４１の複数のスリット４４を介して一部が下インシュレータ２５の外周壁部４１の外側に配置されている。すなわち、第１Ｗ相中性線１４７−Ｗ１は、第１Ｗ相渡り線部分１０１−Ｗ１を含んでいる。第１Ｗ相渡り線部分１０１−Ｗ１は、下インシュレータ２５の外周壁部４１の外周面に沿うように配置されている。第１Ｗ相中性線１４７−Ｗ１は、さらに、第２Ｗ相中性線４７−Ｗ２と切り離されておらず、第２Ｗ相中性線４７−Ｗ２に繋がったままである。
【００５８】
既述の実施例の３相モータ６は、第１Ｖ相渡り線部分１０１−Ｖ１と第１Ｗ相渡り線部分１０１−Ｗ１と第１Ｗ相渡り線部分１０１−Ｗ１とが形成されておらず、従来例の３相モータに比較して、必要とする電線の長さを短縮することができる。また、従来例の３相モータのステータは、既述の実施例の３相モータ６のステータ２２と同様に、巻線機を用いて、製作されることができる。このとき、巻線機は、Ｕ相電線から第１Ｕ相中性線１４７−Ｕ１を形成するときに、Ｕ相電線を外周壁部４１の外周面に沿わせる必要がある。既述の実施例の３相モータ６の第１Ｕ相中性線４７−Ｕ１は第２Ｕ相中性線４７−Ｕ２と切り離されている。従って、巻線機によりＵ相電線から第１Ｕ相中性線４７−Ｕ１が形成されるときに、Ｕ相電線を外周壁部４１の外周面に引きまわす必要がなく、従来例の３相モータの第１Ｕ相中性線１４７−Ｕ１に比較して、短時間に形成されることができる。このため、既述の実施例の３相モータ６は、従来例の３相モータに比較して、短時間に製作されることができる。
【００５９】
図９は、従来例の３相モータの複数の巻き線２６の結線状態を示す結線図である。従来例の３相モータは、さらに、図９に示されているように、既述の実施例の３相モータ６の複数の中性点５１−１〜５１−３が１つの中性点１０２に置換されている。複数のＵ相巻き線４６−Ｕ１〜４６−Ｕ３は、複数のＵ相中性線４７−Ｕ１〜４７−Ｕ３を介して１つの中性点１０２に電気的に接続されている。複数のＶ相巻き線４６−Ｖ１〜４６−Ｖ３は、複数のＶ相中性線４７−Ｖ１〜４７−Ｖ３を介して１つの中性点１０２に電気的に接続されている。複数のＷ相巻き線４６−Ｗ１〜４６−Ｗ３は、複数のＷ相中性線４７−Ｗ１〜４７−Ｗ３を介して１つの中性点１０２に電気的に接続されている。
【００６０】
１つの中性点１０２は、複数のＵ相中性線４７−Ｕ１〜４７−Ｕ３と複数のＶ相中性線４７−Ｖ１〜４７−Ｖ３と複数のＷ相中性線４７−Ｗ１〜４７−Ｗ３とが皮膜剥離された後に互いに半田付けされることにより形成される。１つの中性点１０２は、皮膜剥離しない場合に、複数のＵ相中性線４７−Ｕ１〜４７−Ｕ３と複数のＶ相中性線４７−Ｖ１〜４７−Ｖ３と複数のＷ相中性線４７−Ｗ１〜４７−Ｗ３とを形成する銅線自体が溶接されることにより形成される。これに対し、既述の実施例の３相モータ６の複数の中性点５１−１〜５１−３は、巻き線の被膜を剥離せずに複数の巻き線を電気的に接続できる接続具としてのスプライス端子により形成されていることにより、１つの中性点１０２に比較して、容易に形成されることができる。接続具により中性点を構成する巻き線を束ねる工程と電気的な接続工程を同時に行える。このため、既述の実施例の３相モータ６は、従来例の３相モータに比較して、より容易に製作されることができる。ところで、既述の実施例の３相モータ６の複数の中性点５１−１〜５１−３は、スプライス端子により形成されているが、スプライス端子と異なる他の圧着端子により形成されてもよい。
【００６１】
［比較例１の３相モータ］
比較例１の３相モータは、既述の実施例の３相モータ６の複数の巻き線２６が、既述の実施例の３相モータ６の結線状態と異なる他の結線状態で接続されている。第１中性点５１−１は、複数の巻き線２６のうちの第１ステータコアティース部３２−１に巻回される巻き線と、第３ステータコアティース部３２−３に巻回される巻き線と、第５ステータコアティース部３２−５に巻回される巻き線とに電気的に接続されている。すなわち、第１中性点５１−１は、第３Ｕ相中性線４７−Ｕ３と第３Ｖ相中性線４７−Ｖ３と第３Ｗ相中性線４７−Ｗ３とに電気的に接続されている。
【００６２】
第２中性点５１−２は、複数の巻き線２６のうちの第２ステータコアティース部３２−２に巻回される巻き線と、第４ステータコアティース部３２−４に巻回される巻き線と、第６ステータコアティース部３２−６に巻回される巻き線とに電気的に接続されている。すなわち、第２中性点５１−２は、第１Ｕ相中性線４７−Ｕ１と第２Ｖ相中性線４７−Ｖ２と第１Ｗ相中性線４７−Ｗ１とに電気的に接続されている。
【００６３】
第３中性点５１−３は、複数の巻き線２６のうちの第７ステータコアティース部３２−７に巻回される巻き線と、第８ステータコアティース部３２−８に巻回される巻き線と、第９ステータコアティース部３２−９に巻回される巻き線とに電気的に接続されている。すなわち、第３中性点５１−３は、第２Ｕ相中性線４７−Ｕ２と第１Ｖ相中性線４７−Ｖ１と第２Ｗ相中性線４７−Ｗ２とに電気的に接続されている。
【００６４】
［比較例２の３相モータ］
比較例２の３相モータは、既述の実施例の３相モータ６の複数の巻き線２６が、既述の実施例の３相モータ６の結線状態と異なる他の結線状態で接続されている。第１中性点５１−１は、複数の巻き線２６のうちの第１ステータコアティース部３２−１に巻回される巻き線と、第３ステータコアティース部３２−３に巻回される巻き線と、第５ステータコアティース部３２−５に巻回される巻き線とに電気的に接続されている。すなわち、第１中性点５１−１は、第３Ｕ相中性線４７−Ｕ３と第３Ｖ相中性線４７−Ｖ３と第３Ｗ相中性線４７−Ｗ３とに電気的に接続されている。
【００６５】
第２中性点５１−２は、複数の巻き線２６のうちの第４ステータコアティース部３２−４に巻回される巻き線と、第６ステータコアティース部３２−６に巻回される巻き線と、第８ステータコアティース部３２−８に巻回される巻き線とに電気的に接続されている。すなわち、第２中性点５１−２は、第１Ｕ相中性線４７−Ｕ１と第１Ｖ相中性線４７−Ｖ１と第１Ｗ相中性線４７−Ｗ１とに電気的に接続されている。
【００６６】
第３中性点５１−３は、複数の巻き線２６のうちの第２ステータコアティース部３２−２に巻回される巻き線と、第７ステータコアティース部３２−７に巻回される巻き線と、第９ステータコアティース部３２−９に巻回される巻き線とに電気的に接続されている。すなわち、第３中性点５１−３は、第２Ｕ相中性線４７−Ｕ２と第２Ｖ相中性線４７−Ｖ２と第２Ｗ相中性線４７−Ｗ２とに電気的に接続されている。
【００６７】
［比較例３の３相モータ］
比較例３の３相モータは、既述の実施例の３相モータ６の複数の巻き線２６が、既述の実施例の３相モータ６の結線状態と異なる他の結線状態で接続されている。第１中性点５１−１は、複数の巻き線２６のうちの第１ステータコアティース部３２−１に巻回される巻き線と、第２ステータコアティース部３２−２に巻回される巻き線と、第３ステータコアティース部３２−３に巻回される巻き線とに電気的に接続されている。すなわち、第１中性点５１−１は、第３Ｕ相中性線４７−Ｕ３と第２Ｖ相中性線４７−Ｖ２と第３Ｗ相中性線４７−Ｗ３とに電気的に接続されている。
【００６８】
第２中性点５１−２は、複数の巻き線２６のうちの第４ステータコアティース部３２−４に巻回される巻き線と、第５ステータコアティース部３２−５に巻回される巻き線と、第６ステータコアティース部３２−６に巻回される巻き線とに電気的に接続されている。すなわち、第２中性点５１−２は、第１Ｕ相中性線４７−Ｕ１と第３Ｖ相中性線４７−Ｖ３と第１Ｗ相中性線４７−Ｗ１とに電気的に接続されている。
【００６９】
第３中性点５１−３は、複数の巻き線２６のうちの第７ステータコアティース部３２−７に巻回される巻き線と、第８ステータコアティース部３２−８に巻回される巻き線と、第９ステータコアティース部３２−９に巻回される巻き線とに電気的に接続されている。すなわち、第３中性点５１−３は、第２Ｕ相中性線４７−Ｕ２と第１Ｖ相中性線４７−Ｖ１と第２Ｗ相中性線４７−Ｗ２とに電気的に接続されている。
【００７０】
図１０は、実施例の３相モータ６と従来例１〜比較例３の３相モータとにそれぞれ発生する騒音の音圧レベルを示す折れ線グラフである。図１０の折れ線グラフは、実施例の３相モータ６の回転数が５５ｒｐｓであるときに、実施例の３相モータ６に発生する騒音のうちの周波数が値ｆである騒音の音圧レベルが最も大きいことを示している。図１０の折れ線グラフは、さらに、従来例２〜比較例３の３相モータの回転数が５５ｒｐｓであるときに、実施例の３相モータ６に発生する騒音のうちの周波数が値ｆである音の音圧レベルが最も大きいことを示している。値ｆは、３３０Ｈｚを示している。すなわち、図１０の折れ線グラフは、３相モータに発生する騒音のうちの３相モータの回転数の６倍の周波数の音の音圧レベルが最も大きいことを示している。図１０の折れ線グラフは、さらに、３相モータに発生する騒音のうちの３相モータの回転数の６倍の周波数の音の音圧レベルを用いて、騒音の大きさを評価することができることを示している。
【００７１】
図１１は、３相モータの回転数が４５ｒｐｓであるときの実施例の３相モータ６と従来例〜比較例３の３相モータとにそれぞれ発生する騒音のうちの周波数が２７０Ｈｚの音の音圧レベルを示す棒グラフである。図１１の棒グラフは、実施例の３相モータ６の騒音の音圧レベルが従来例の３相モータの騒音の音圧レベルに概ね等しいことを示し、実施例の３相モータ６の騒音の音圧レベルが従来例の３相モータの騒音の音圧レベルよりやや小さいことを示している。図１１の棒グラフは、さらに、実施例の３相モータ６の騒音の音圧レベルが比較例１〜比較例３の３相モータの騒音の音圧レベルより小さいことを示し、実施例の３相モータ６の騒音が比較例１〜比較例３の３相モータの騒音より小さいことを示している。
【００７２】
図１２は、３相モータの回転数が５５ｒｐｓであるときの実施例の３相モータ６と従来例〜比較例３の３相モータとにそれぞれ発生する騒音のうちの周波数が３３０Ｈｚの音の音圧レベルを示す棒グラフである。図１２の棒グラフは、実施例の３相モータ６の騒音の音圧レベルが従来例の３相モータの騒音の音圧レベルに概ね等しいことを示し、実施例の３相モータ６の騒音の音圧レベルが従来例の３相モータの騒音の音圧レベルよりやや小さいことを示している。図１２の棒グラフは、さらに、実施例の３相モータ６の騒音の音圧レベルが比較例１〜比較例３の３相モータの騒音の音圧レベルより小さいことを示し、実施例の３相モータ６の騒音が比較例１〜比較例３の３相モータの騒音より小さいことを示している。
【００７３】
図１３は、３相モータの回転数が６０ｒｐｓであるときの実施例の３相モータ６と従来例〜比較例３の３相モータとにそれぞれ発生する騒音のうちの周波数が３６０Ｈｚの音の音圧レベルを示す棒グラフである。図１３の棒グラフは、実施例の３相モータ６の騒音の音圧レベルが従来例の３相モータの騒音の音圧レベルに概ね等しいことを示し、実施例の３相モータ６の騒音の音圧レベルが従来例の３相モータの騒音の音圧レベルよりやや小さいことを示している。図１３の棒グラフは、さらに、実施例の３相モータ６の騒音の音圧レベルが比較例１〜比較例３の３相モータの騒音の音圧レベルより小さいことを示し、実施例の３相モータ６の騒音が比較例１〜比較例３の３相モータの騒音より小さいことを示している。
【００７４】
図１１の棒グラフと図１２の棒グラフと図１３の棒グラフとは、３相モータの回転数が異なる場合でも、複数の巻き線２６と複数の中性点５１−１〜５１−３との結線状態が異なるときに、３相モータの騒音の大きさが異なることを示している。図１１の棒グラフと図１２の棒グラフと図１３の棒グラフとは、さらに、実施例の３相モータ６の騒音が比較例１〜比較例３の３相モータの騒音より小さいことを示している。
【００７５】
［実施例のモータの効果］
実施例の３相モータ６は、ロータ２１と、ロータ２１を回転させる磁界を生成するステータ２２とを備えている。ステータ２２は、複数のステータコアティース部３２−１〜３２−９と複数のＵ相巻き線４６−Ｕ１〜４６−Ｕ３と複数のＶ相巻き線４６−Ｖ１〜４６−Ｖ３と複数のＷ相巻き線４６−Ｗ１〜４６−Ｗ３とを備えている。複数のＵ相巻き線４６−Ｕ１〜４６−Ｕ３と複数のＶ相巻き線４６−Ｖ１〜４６−Ｖ３と複数のＷ相巻き線４６−Ｗ１〜４６−Ｗ３とは、複数のステータコアティース部３２−１〜３２−９にそれぞれ巻回されている。ステータ２２は、複数のＵ相中性線４７−Ｕ１〜４７−Ｕ３と複数のＶ相中性線４７−Ｖ１〜４７−Ｖ３と複数のＷ相中性線４７−Ｗ１〜４７−Ｗ３とをさらに備えている。複数のＵ相巻き線４６−Ｕ１〜４６−Ｕ３は、複数のＵ相中性線４７−Ｕ１〜４７−Ｕ３を介して複数の中性点５１−１〜５１−３に電気的に接続されている。複数のＶ相巻き線４６−Ｖ１〜４６−Ｖ３は、複数のＶ相中性線４７−Ｖ１〜４７−Ｖ３を介して複数の中性点５１−１〜５１−３に電気的に接続されている。複数のＷ相巻き線４６−Ｗ１〜４６−Ｗ３は、複数のＷ相中性線４７−Ｗ１〜４７−Ｗ３を介して複数の中性点５１−１〜５１−３に電気的に接続されている。複数のＵ相中性線４７−Ｕ１〜４７−Ｕ３と複数のＶ相中性線４７−Ｖ１〜４７−Ｖ３と複数のＷ相中性線４７−Ｗ１〜４７−Ｗ３とは、複数のステータコアティース部３２−１〜３２−９より複数の中性点５１−１〜５１−３に近いリード側に配置されている。すなわち、これらの中性線は反リード側に引き回されることなく、それぞれの中性線（Ｕ相中性線４７−Ｕ１〜４７−Ｕ３、Ｖ相中性線４７−Ｖ１〜４７−Ｖ３、Ｗ相中性線４７−Ｗ１〜４７−Ｗ３）がリード側に配置される。このとき、図５や図６に示すように、各巻き線の一方の端部である中性線は各ティースに対応するように、第１方向側に配置される。また、各巻き線の他方の端部である電源線は第２方向側に配置される。
【００７６】
このような３相モータ６は、これらの中性線の各々が複数のステータコアティース部３２−１〜３２−９のうちのどのティースに巻回される巻き線に接続されているかが外観で確認することができる。作業者は、これらの中性線の外観に基づいて、これらの中性線を複数の中性点５１−１〜５１−３に適切に接続することができる。３相モータ６は、さらに、各中性線は反リード側に引き回されることがないため、複数のＵ相中性線４７−Ｕ１〜４７−Ｕ３と複数のＶ相中性線４７−Ｖ１〜４７−Ｖ３と複数のＷ相中性線４７−Ｗ１〜４７−Ｗ３とを形成する電線の長さを短縮することができる。３相モータ６は、さらに、電線が複数のステータコアティース部３２−１〜３２−９に巻回される作業時間を短縮することができる。
【００７７】
また、実施例の３相モータ６のステータ３３は、複数のＵ相巻き線４６−Ｕ１〜４６−Ｕ３をＵ相電源に電気的にそれぞれ接続する複数のＵ相電源線４８−Ｕ１〜４８−Ｕ３をさらに備えている。ステータ３３は、１本のＵ相電線が一筆書きのように配線されることにより、複数のＵ相巻き線４６−Ｕ１〜４６−Ｕ３と複数のＵ相中性線４７−Ｕ１〜４７−Ｕ３と複数のＵ相電源線４８−Ｕ１〜４８−Ｕ３とが形成されている。このとき、第２Ｕ相電源線４８−Ｕ２のうちのＵ相電源に接続される側の端は、リード側に配置され、第３Ｕ相電源線４８−Ｕ３のうちのＵ相電源に接続される側の端に繋がっている。複数のＶ相巻き線４６−Ｖ１〜４６−Ｖ３と複数のＶ相中性線４７−Ｖ１〜４７−Ｖ３と複数のＶ相電源線４８−Ｖ１〜４８−Ｖ３とに関しても、同様に、１本のＶ相電線が一筆書きのように配線されることにより、形成されている。複数のＷ相巻き線４６−Ｗ１〜４６−Ｗ３と複数のＷ相中性線４７−Ｗ１〜４７−Ｗ３と複数のＷ相電源線４８−Ｗ１〜４８−Ｗ３とに関しても、同様に、１本のＷ相電線が一筆書きのように配線されることにより、形成されている。ステータ３３は、このように形成されることにより、電線を巻回する際に電線を接続する工程を省き、電線の巻回作業を簡単化して高速化することができる。従って、３相モータ６は容易に製作されることができる。
【００７８】
また、実施例の３相モータ６のステータ３３は、複数のステータコアティース部３２−１〜３２−９より反リード側に配置される下インシュレータ２５をさらに備えている。第２Ｕ相電源線４８−Ｕ２は、複数のステータコアティース部３２−１〜３２−９より複数の中性点５１−１〜５１−３から遠い反リード側に配置される第２Ｕ相渡り線部分４９−Ｕ２を含んでいる。第２Ｕ相渡り線部分４９−Ｕ２は、下インシュレータ２５の外周側に沿うように配置されている。第３Ｕ相電源線４８−Ｕ３は、複数のステータコアティース部３２−１〜３２−９の反リード側に配置される部分を含んでおらず、複数のステータコアティース部３２−１〜３２−９のリード側に配置されている。複数のＵ相巻き線４６−Ｕ１〜４６−Ｕ３は、複数のＵ相電源線４８−Ｕ１〜４８−Ｕ３がこのように形成されていることにより、巻き数が異なることがある。複数のＵ相巻き線４６−Ｕ１〜４６−Ｕ３は、巻き数が異なることにより、インピーダンスが異なる。複数のＶ相巻き線４６−Ｖ１〜４６−Ｖ３と複数のＷ相巻き線４６−Ｗ１〜４６−Ｗ３とに関しても、同様に、インピーダンスが異なることがある。このため、３相モータ６は、複数の巻き線２６が複数の中性点５１−１〜１５−３に適切に接続されないときに、複数の中性点５１−１〜１５−３の電流バランスが崩れ、騒音が発生することがある。複数の中性線は、どの巻き線に接続されているかが外観で確認することができ、複数の中性点５１−１〜１５−３に適切に接続されることができる。３相モータ６は、複数の中性線が複数の中性点５１−１〜１５−３に適切に接続されることより、騒音を低減することができる。
【００７９】
実施例の圧縮機１は、３相モータ６と、ロータ２１が回転する動力により冷媒を圧縮する圧縮機部５とを備えている。このような圧縮機１は、３相モータ６が製作される時間が短時間化されることにより、製作される時間を短時間化することができる。
【００８０】
ところで、既述の実施例の３相モータ６が設けられる圧縮機１の圧縮機部５は、ロータリー圧縮機から形成されているが、ロータリー圧縮機と異なる機構から形成される他の圧縮機部に置換されてもよい。その機構としては、スクロール圧縮機が例示される。
【００８１】
以上、実施例を説明したが、前述した内容により実施例が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、実施例の要旨を逸脱しない範囲で構成要素の種々の省略、置換及び変更のうち少なくとも１つを行うことができる。
【符号の説明】
【００８２】
１      ：圧縮機
２      ：容器
５      ：圧縮機部
６      ：３相モータ
７      ：内部空間
２１    ：ロータ
２２    ：ステータ
２３    ：ステータコア
２５    ：下インシュレータ
２６    ：複数の巻き線
４１    ：外周壁部
４６−Ｕ１〜４６−Ｕ３：複数のＵ相巻き線
４６−Ｖ１〜４６−Ｖ３：複数のＶ相巻き線
４６−Ｗ１〜４６−Ｗ３：複数のＷ相巻き線
４７−Ｕ１〜４７−Ｕ３：複数のＵ相中性線
４７−Ｖ１〜４７−Ｖ３：複数のＶ相中性線
４７−Ｗ１〜４７−Ｗ３：複数のＷ相中性線
４８−Ｕ１〜４８−Ｕ３：複数のＵ相電源線
４８−Ｖ１〜４８−Ｖ３：複数のＶ相電源線
４８−Ｗ１〜４８−Ｗ３：複数のＷ相電源線
４９−Ｕ１：第１Ｕ相渡り線部分
４９−Ｕ２：第２Ｕ相渡り線部分
４９−Ｖ１：第１Ｖ相渡り線部分
４９−Ｖ２：第２Ｖ相渡り線部分
４９−Ｗ１：第１Ｗ相渡り線部分
４９−Ｗ２：第２Ｗ相渡り線部分
５１−１〜５１−３：複数の中性点
【図１】
2019176638.tif 000003
【図２】
2019176638.tif 000004
【図３】
2019176638.tif 000005
【図４】
2019176638.tif 000006
【図５】
2019176638.tif 000007
【図６】
2019176638.tif 000008
【図７】
2019176638.tif 000009
【図８】
2019176638.tif 000010
【図９】
2019176638.tif 000011
【図１０】
2019176638.tif 000012
【図１１】
2019176638.tif 000013
【図１２】
2019176638.tif 000014
【図１３】
2019176638.tif 000015